【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
眼鏡フレーム（１０）が、ユーザ（２１）の音声信号をキャプチャするための少なくとも１つの方向依存のマイクロホン（１３、１５、１６）と、外部電子デバイス（３０）に信号を伝送するための通信手段（１２）とを含み、前記少なくとも１つのマイクロホン（１３、１５、１６）の方向依存性は、制御モジュール（１１）を使用して、動的な形でユーザ固有に調整可能である音響通信のためのシステムであって、
前記制御モジュール（１１）は、前記少なくとも１つの第２の方向依存のマイクロホン（１３、１５）によってキャプチャされた音声信号に基づき、前記少なくとも１つの第１の方向依存のマイクロホン（１３、１６）の前記方向依存性の、適応的なユーザ固有の調整を行うための手段を含むシステム。
【請求項２】
少なくとも１つの第２の方向依存のマイクロホン（１５）は、接触マイクロホンである請求項１に記載の音響通信のためのシステム。
【請求項３】
第１の方向依存のマイクロホン（１６）によってキャプチャされた信号は、第３のマイクロホン（１３）によってキャプチャされた信号を使用して濾波されることが可能である請求項１に記載の音響通信のためのシステム。
【請求項４】
増幅器（４８）は、第３のマイクロホン（１５）によってキャプチャされた信号を使用して制御可能である請求項１乃至３のいずれか１項に記載の音響通信のためのシステム。
【請求項５】
方向依存のマイクロホン（１５）によってキャプチャされた信号は、基準フィルタに基づいて処理可能である請求項１乃至４のいずれか１項に記載の音響通信のためのシステム。
【請求項６】
少なくとも１つの方向依存のマイクロホン（１３、１５、１６）は、マイクロホン・アレイとして実施される請求項１乃至５のいずれか１項に記載の音響通信のためのシステム。
【請求項７】
少なくとも１つのマイクロホン・アレイは、ＭＥＭＳ技術で実施される請求項６に記載の音響通信のためのシステム。
【請求項８】
前記外部デバイス（３０）は、移動無線デバイスを含む請求項１乃至７のいずれか１項に記載の音響通信のためのシステム。
【請求項９】
前記眼鏡フレーム（１０）は、網膜走査表示のための手段を含む請求項１乃至８のいずれか１項に記載の音響通信のためのシステム。
【請求項１０】
前記眼鏡フレーム（１０）は、視線方向をキャプチャするための手段を含む請求項９に記載の音響通信のためのシステム。
【請求項１１】
少なくとも１つの方向依存のマイクロホン（１３、１５、１６）を使用して口頭のコマンドをキャプチャするための音声認識モジュールを含む請求項１乃至１０のいずれか１項に記載の音響通信のためのシステム。
【請求項１２】
Ｂｌｕｅｔｏｏｔｈインタフェースおよび／またはＺｉｇＢｅｅインタフェースおよび／またはＧＳＭインタフェースおよび／またはＵＭＴＳインタフェース（１２、３３）を含む請求項１乃至１１のいずれか１項に記載の音響通信のためのシステム。
【請求項１３】
電源供給装置（１４）のための光電池を含む請求項１乃至１２のいずれか１項に記載の音響通信のためのシステム。
【請求項１４】
ユーザ（２１）の音声信号が、眼鏡フレーム（１０）上に実装された少なくとも１つの方向依存のマイクロホン（１３、１５、１６）によってキャプチャされ、無線インタフェース（１７）を介して外部デバイス（３０）に伝送される音響通信のための方法であって、前記少なくとも１つの方向依存のマイクロホン（１３、１５、１６）の方向依存性は、動的な形でユーザ固有に適合させられ、
ユーザの音声信号は、少なくとも１つの第１の方向依存のマイクロホン（１３、１５）を使用してキャプチャされ、
ユーザの音声信号は、少なくとも１つの第１の方向依存のマイクロホン（１３、１５）を使用してキャプチャされ、
少なくとも１つの第１の方向依存のマイクロホン（１３、１５）によってキャプチャされた、ユーザ（２１）の前記音声信号に基づき、前記少なくとも１つの第２の方向依存のマイクロホン（１３、１６）の方向依存性が、ユーザ固有の形で適応的に調整される方法。
【請求項１５】
少なくとも１つの第２の方向依存のマイクロホン（１５）は、接触マイクロホンとして実施される請求項１４に記載の音響通信のための方法。
【請求項１６】
第１の方向依存のマイクロホン（１６）によってキャプチャされた信号は、第３のマイクロホン（１３）によってキャプチャされた信号を使用して濾波される請求項１４に記載の音響通信のための方法。
【請求項１７】
増幅器（４８）は、第３のマイクロホン（１５）によってキャプチャされた信号を使用して制御される請求項１４乃至１６のいずれか１項に記載の音響通信のための方法。
【請求項１８】
方向依存のマイクロホン（１５）によってキャプチャされた信号は、基準フィルタに基づいて処理される請求項１４乃至１７のいずれか１項に記載の音響通信のための方法。
【請求項１９】
少なくとも１つの方向依存のマイクロホン（１３、１５、１６）は、マイクロホン・アレイとして実施される請求項１４乃至１８のいずれか１項に記載の音響通信のための方法。
【請求項２０】
少なくとも１つのマイクロホン・アレイは、ＭＥＭＳ技術で実施される請求項１９に記載の音響通信のための方法。
【請求項２１】
前記キャプチャされた信号（２２、２４）は、移動無線デバイス（３０）に伝送される請求項１４乃至２０のいずれか１項に記載の音響通信のための方法。
【請求項２２】
前記ユーザは、網膜走査ディスプレイを使用して網膜上にイメージ・データを投射される請求項１４乃至２１のいずれか１項に記載の音響通信のための方法。
【請求項２３】
前記ユーザの視線方向は、モジュールを使用してキャプチャされる請求項２２に記載の音響通信のための方法。
【請求項２４】
口頭のコマンドは、音声認識モジュールを使用してキャプチャされる請求項１４乃至２３のいずれか１項に記載の音響通信のための方法。
【請求項２５】
前記キャプチャされた信号は、Ｂｌｕｅｔｏｏｔｈインタフェースおよび／またはＺｉｇＢｅｅインタフェースおよび／またはＧＳＭインタフェースおよび／またはＵＭＴＳインタフェースを介して外部デバイスに伝送される請求項１４乃至２４のいずれか１項に記載の音響通信のための方法。
【請求項２６】
前記電源供給装置（１４）は、光電池を介して提供される請求項１４乃至２５のいずれか１項に記載の音響通信のための方法。
【手続補正２】
【補正対象書類名】明細書
【補正対象項目名】発明の名称
【補正方法】変更
【補正の内容】
【発明の名称】移動無線デバイスと通信するための組み込まれた音響通信システムを有する眼鏡フレーム、および対応する方法
【手続補正３】
【補正対象書類名】明細書
【補正対象項目名】０００６
【補正方法】変更
【補正の内容】
【０００６】
米国特許出願公開第２００２／０１９７９６１  Ａ１号において開示されているのが、マイクロホン、小型スピーカ、電源供給装置（アキュムレータ）、および移動無線デバイス、または他の外部電子デバイスに信号を送信するための送信機または相当する受信機が実装された、眼鏡フレームである。代替として、前記コンポーネントは、眼鏡フレームに取り付けられ、再び取り外されることが可能な、または帽子、もしくは頭部に着用されることが可能な類似の物品上の、クリップの中に収容されることも可能である。また、マイクロホンは、調整可能なアーム上に取り付けられることも可能である。大きい、一定でないスタティック・ノイズを有する環境における前述した構成の使用では、それでもやはり、所望される信号が、十分なレベルでマイクロホンに印加されることは保証されない。
国際出願ＷＯ２００４／０１６０３７号が、音声の分かりやすさを向上させるための方法、および対応するデバイスを説明している。この出願には、マイクロホン・アレイと、スピーカと、信号処理デバイスとを含む眼鏡フレームが関わる。この信号処理デバイスは、マイクロホン・アレイの信号を受け取り、干渉する背景信号の量を減らし、このように処理された信号をスピーカまたは外部電子デバイスに伝送する。また、眼鏡フレームは、マイクロホンの方向を調節して、より良好な信号品質が実現されることが可能であるようにすることができるマイクロホン・コントロールも含む。様々な方法およびアルゴリズム、特に、いわゆるＡＮＣ（アクティブ雑音制御）技術が、信号処理のために使用されることが可能である。それでも、説明されているビーム形式方法は、周囲雑音および周囲干渉をすべての状況において効率的な形で除去するのに適していない。
【手続補正４】
【補正対象書類名】明細書
【補正対象項目名】０００７
【補正方法】変更
【補正の内容】
【０００７】
【特許文献１】国際公開第０３／０６２９０６号
【特許文献２】国際公開第０２／０８６５９９号
【特許文献３】欧州特許第０  ２１９  ０２６  Ｂ１号
【特許文献４】米国特許出願公開第２００２／０１９７９６１  Ａ１号
【特許文献５】国際出願ＷＯ２００４／０１６０３７号
【手続補正５】
【補正対象書類名】明細書
【補正対象項目名】０００９
【補正方法】変更
【補正の内容】
【０００９】
以上の諸目的は、特に、独立請求項の要素を介して、本発明に従って実現される。それに加えて、さらに有利な諸実施形態が、従属請求項および本明細書からもたらされる。
特に、以上の諸目的は、眼鏡フレームが、ユーザの音声信号をキャプチャするための少なくとも１つの方向依存のマイクロホンと、外部電子デバイスに信号を送信するための通信手段とを含み、少なくとも１つのマイクロホンの方向依存性は、制御モジュールによって動的な形でユーザ固有に調整可能であり、制御モジュールは、少なくとも１つの第２の方向依存のマイクロホンによってキャプチャされた音声信号に基づき、少なくとも１つの第１の方向依存のマイクロホンの方向依存性の、適応的なユーザ固有の調整を行うための手段を含むという点で、本発明を介して実現される。この実施形態変種の利点は、とりわけ、効果的な雑音除去であり、そのため、各個人ユーザに関して、キャプチャされる音声信号の大幅により高い品質が可能であることである。これは、特に、ユーザの口頭のコマンドの認識のために、必要な前提条件である可能性がある。さらなる利点は、口頭の命令のハンズフリーの入力、ならびに入力デバイスが、眼鏡フレームに組み込まれるために、ほとんど目立たないことである。
【手続補正６】
【補正対象書類名】明細書
【補正対象項目名】００１０
【補正方法】変更
【補正の内容】
【００１０】
さらに、この実施形態変種は、とりわけ、方向依存のマイクロホンの方向依存性の調整が、他のマイクロホンによってキャプチャされる信号の関数として実行されることが可能であるという利点を有する。そのため、さらに良好なユーザ固有の適合が実現されることが可能であり、高いレベルの干渉雑音を有する環境において、本発明によるシステムおよび方法の応用に関して、より高い音声品質、およびより良好な前提条件がもたらされる。